(57)【特許請求の範囲】
【請求項１】
可動鉄心が配置されるソレノイド部と、
前記可動鉄心の軸延長線上に弁機構が配置される弁部と、
前記弁部の前記ソレノイド部と反対側の前記軸延長線上に前記軸延長線を中心に回動可能に突出して配置され、前記可動鉄心側への押圧による移動により前記弁機構を手動操作する第１の手動操作部材と、
前記第１の手動操作部材の突出部の外側に配置されるカバー部材と、
前記第１の手動操作部材の回動による前記カバー部材に対する位置変化により前記第１の手動操作部材を前記押圧による移動位置に保持する第１の保持機構と、
前記カバー部材の外側に配置され、前記第１の手動操作部材を前記押圧による移動位置に保持する第２の保持機構と、
を有することを特徴とする電磁弁。
【請求項２】
請求項１記載の電磁弁において、
前記第１の保持機構は、前記第１の手動操作部材の端面の外周部を覆って前記カバー部材に形成される内側フランジ部と、
前記第１の手動操作部材の外周に前記内側フランジ部側に向けて突出して形成される突出部と、
前記内側フランジ部に形成され前記保持時以外に前記突出部が収容される凹部と、
を有することを特徴とする電磁弁。
【請求項３】
請求項１または請求項２記載の電磁弁において、
前記第２の保持機構は、
前記カバー部材を覆って配置される第２の手動操作部材と、
前記カバー部材に形成される案内溝と、
前記第２の手動操作部材に形成され前記案内溝に嵌合される突起部と、
前記第２の手動操作部材に形成され前記第１の手動操作部材に係合する回動手段と、
を有することを特徴とする電磁弁。
【請求項４】
請求項３記載の電磁弁において、
前記第２の手動操作部材は、前記カバー部材に着脱自在に配置されていることを特徴とする電磁弁。
【発明の詳細な説明】
【０００１】
【発明の属する技術分野】
本発明は、電磁弁に係わり、特に、弁機構を手動操作およびロックする機構を備えた電磁弁に関する。
【０００２】
【従来の技術】
従来、例えば、エアーシリンダーの方向切換用の電磁弁では、弁機構を手動操作により切り換えする手動操作機構を備えたものが知られている。
このような電磁弁では、例えば、手動操作部材を押圧することにより、押圧している間のみ弁機構が切り換えられる。
【０００３】
一方、例えば、エアーシリンダーの方向切換用の電磁弁では、エアーシリンダーのメンテナンス時等には、弁機構を長い時間にわたり連続して切り換え状態に置くことが要求される場合がある。
このような場合に、手動操作部材を長い時間にわたり連続して押圧することは、実際上困難である。
【０００４】
そこで、従来、弁機構を手動操作により所定の位置に固定するロック機構を備えた電磁弁が知られている。
【０００５】
【発明が解決しようとする課題】
しかしながら、上述した手動操作機構およびロック機構を備えた従来の電磁弁では、構造が非常に複雑になり、小型の電磁弁に組み込むことが困難になるという問題があった。
【０００６】
すなわち、近時、電磁弁は、急速に小型化されており、外径が１０mm、長さが３０〜５０mm程度の小型の電磁弁も開発されているが、このような電磁弁に手動操作機構およびロック機構を組み込むことは非常に困難であった。
本発明は、かかる従来の問題点を解決するためになされたもので、非常に簡易な構造の手動操作機構およびロック機構を有する電磁弁を提供することを目的とする。
【０００７】
【課題を解決するための手段】
請求項１の電磁弁は、可動鉄心が配置されるソレノイド部と、前記可動鉄心の軸延長線上に弁機構が配置される弁部と、前記弁部の前記ソレノイド部と反対側の前記軸延長線上に前記軸延長線を中心に回動可能に突出して配置され、前記可動鉄心側への押圧による移動により前記弁機構を手動操作する第１の手動操作部材と、前記第１の手動操作部材の突出部の外側に配置されるカバー部材と、前記第１の手動操作部材の回動による前記カバー部材に対する位置変化により前記第１の手動操作部材を前記押圧による移動位置に保持する第１の保持機構と、前記カバー部材の外側に配置され、前記第１の手動操作部材を前記押圧による移動位置に保持する第２の保持機構と、を有することを特徴とする。
【０００８】
請求項２の電磁弁は、請求項１記載の電磁弁において、前記第１の保持機構は、前記第１の手動操作部材の端面の外周部を覆って前記カバー部材に形成される内側フランジ部と、前記第１の手動操作部材の外周に前記内側フランジ部側に向けて突出して形成される突出部と、前記内側フランジ部に形成され前記保持時以外に前記突出部が収容される凹部とを有することを特徴とする。
【０００９】
請求項３の電磁弁は、請求項１または請求項２記載の電磁弁において、前記第２の保持機構は、前記カバー部材を覆って配置される第２の手動操作部材と、前記カバー部材に形成される案内溝と、前記第２の手動操作部材に形成され前記案内溝に嵌合される突起部と、前記第２の手動操作部材に形成され前記第１の手動操作部材に係合する回動手段と、を有することを特徴とする。
請求項４の電磁弁は、請求項３記載の電磁弁において、前記第２の手動操作部材は、前記カバー部材に着脱自在に配置されていることを特徴とする。
【００１１】
【作用】
請求項１の電磁弁では、ドライバー等により第１の手動操作部材をソレノイド部側に押圧すると、ソレノイド部の可動鉄心が移動し弁機構が手動操作される。
【００１２】
また、この状態からドライバー等により第１の手動操作部材を回動すると、第１の手動操作部材のカバー部材に対する相対位置が変化し、第１の手動操作部材が押圧による移動位置にロックされる。
さらに、カバー部材の外側に、第１の手動操作部材を押圧による移動位置に保持する第２の保持機構が配置される。
請求項２の電磁弁では、ロック時以外には、第１の手動操作部材の外周に形成される突出部が、カバー部材の内側フランジ部に形成される凹部に収容される。
【００１３】
一方、ロック時には、第１の手動操作部材を押圧しながら回動することにより、突出部が凹部から外れ、第１の手動操作部材が押圧による移動位置にロックされる。
【００１４】
請求項３の電磁弁では、第２の手動操作部材をカバー部材に被嵌すると第２の手動操作部材の突起部がカバー部材の案内溝に係合される。
そして、この状態から第２の手動操作部材を押圧しながら回動すると、突起部が案内溝に沿って移動し、同時に、回動手段により第１の手動操作部材が回動し、第１の手動操作部材が押圧による移動位置にロックされる。
【００１５】
請求項４の電磁弁では、第２の手動操作部材が、カバー部材に対して着脱自在とされる。
【００１６】
【発明の実施の形態】
以下、本発明の実施形態を図面を用いて詳細に説明する。
【００１７】
図１は、本発明の電磁弁の一実施形態を示すもので、この電磁弁は、例えば、エアーシリンダーの方向切換用に使用される。
この電磁弁は、ソレノイド部１１，弁部１３および手動操作部１５とから構成されている。
ソレノイド部１１は、ボビン１７に巻回されたコイル１９，ヨーク２１，固定鉄心２３，可動鉄心２５を有している。
【００１８】
可動鉄心２５は、コイルスプリング２７により、弁部１３側に押圧されている。
可動鉄心２５の先端には、ガイド部材２９が取り付けられている。
可動鉄心２５の先端中央部には、弁部材３１が内蔵され、コイルスプリング３３により、ガイド部材２９側に押圧されている。
弁部１３は、弁本体３５を有しており、上下端面中央から内方に形成された穴内に、弁座３５ａ，３５ｂが突出形成されている。
【００１９】
弁座３５ａは、供給口３５ｃに連通され、弁座３５ｂは、排気口３５ｄに連通されている。
また、供給口３５ｃは、弁座３５ａを介して、出力口３５ｅに連通する室３５ｆに連通されている。
この室３５ｆ内には、弁部材３７がプッシュ部材３９とともに配置されている。
【００２０】
このプッシュ部材３９には、図２および図３に示すように、棒状の一対のロッド部３９ａが形成されている。
一対のロッド部３９ａは、弁本体３５に形成され一対の貫通口３５ｇに挿通されている。
【００２１】
そして、先端が、ガイド部材２９の端面に当接されている。
弁部材３７は、コイルスプリング４１により、弁座３５ａ側に押圧されている。
手動操作部１５は、第１の手動操作部材４３，カバー部材４５および第２の手動操作部材４７を有している。
カバー部材４５は、弁本体３５のソレノイド部１１と反対側に配置されている。
【００２２】
このカバー部材４５は、断面コ字状をしており、弁本体３５の端面に形成される凹部３５ｈに、例えば、超音波溶着により固定されている。
カバー部材４５と弁部材３７の間に形成される室３５ｆ内には、第１の手動操作部材４３が嵌合されている。
第１の手動操作部材４３と弁部材３７との間には、コイルスプリング４１が配置されている。
【００２３】
また、弁本体３５との間に、コイルスプリング４９が配置され、第１の手動操作部材４３がカバー部材４５側に押圧されている。
第１の手動操作部材４３の外周には、環状溝４３ａが形成され、この環状溝４３ａにＯリング５１が装着されている。
第１の手動操作部材４３の端部には、縮径した軸部４３ｂが形成されており、カバー部材４５の中央穴４５ａに突入配置されている。
【００２４】
また、第１の手動操作部材４３の軸部４３ｂの端面には、ドライバー等を係止する係止溝４３ｃが形成されている。
図４ないし図６は、カバー部材４５の詳細を示すもので、このカバー部材４５では、円筒状の本体部４５ｂの一端に、内側に向けて突出する内側フランジ部４５ｃが形成されている。
【００２５】
また、カバー部材４５の本体部４５ｂの外周の両側には、内側フランジ部４５ｃの端面から２箇所で折曲される案内溝４５ｄが形成されている。
この案内溝４５ｄは、クランク状に形成され、軸長方向溝４５ｅ，４５ｆと周方向溝４５ｇ，４５ｈとを有している。
内側フランジ部４５ｃの内面には、１８０度離れた位置に、図５に示すように、略三角形状の凹部４５ｉが形成されている。
【００２６】
そして、この凹部４５ｉに隣接して内側フランジ部４５ｃの内面から突出する突部４５ｊが形成されている。
図７ないし図９は、第１の手動操作部材４３の詳細を示すもので、この第１の手動操作部材４３の端面には、ドライバー等を係止する係止溝４３ｃが形成されている。
【００２７】
第１の手動操作部材４３の外周の両側には、１８０度離れた位置に、突部４３ｄが形成されている。
この突部４３ｄから９０度ずれた端面４３ｇ部に凹部４３ｅが形成され、この凹部４３ｅと端面４３ｇとが斜面４３ｆにより連続されている。
図１０は、カバー部材４５の内側フランジ部４５ｃの底面と、第１の手動操作部材４３の外周との嵌合状態を展開して示すもので、実線が図１の状態を示している。
【００２８】
図１１ないし図１３は、第２の手動操作部材４７の詳細を示すもので、この第２の手動操作部材４７には、カバー部材４５の外側に被嵌される筒状部４７ａが形成されている。
この筒状部４７ａの一側には、底部４７ｂが形成されている。
底部４７ｂの一方は、径方向に延在され、先端先細り状の把持部４７ｃが形成されている。
【００２９】
筒状部４７ａの内周の両側には、１８０度離れた位置に、一対の突起部４７ｄが形成されている。
底部４７ｂの内面には、突出部４７ｅが形成され、この突出部４７ｅの先端に突条部４７ｆが形成されている。
上述した電磁弁では、ソレノイド部１１のコイル１９が励磁されていない時には、図１に示したように、ソレノイド部１１側の弁座３５ｂが弁部材３３により塞がれ、他側の弁座３５ａと弁部材３７との間に間隙が形成され、供給口３５ｃから供給される空気が、弁座３５ａを介して室３５ｆに流入した後、出口口３５ｅから図示しないエアーシリンダー側に供給される。
【００３０】
一方、ソレノイド部１１のコイル１９が励磁されると、可動鉄心２５が固定鉄心２３側に吸着され、ソレノイド部１１側の弁座３５ｂと弁部材３３との間に間隙が形成され、他側の弁座３５ａが弁部材３７により塞がれ、図示しないエアーシリンダー内の空気が、出口口３５ｅを通り、室３５ｆに流入した後、プッシュ部材３９のロッド部３９ａと弁本体３５の貫通口３５ｇとの間隙を通りソレノイド部１１側の弁座３５ｂに流入し、排気口３５ｄから排出される。
【００３１】
また、第２の手動操作部材４７をカバー部材４５に被嵌しない状態で、ドライバーの先端等により、第１の手動操作部材４３をソレノイド部１１側に押圧すると、第１の手動操作部材４３によりプッシュ部材３９がソレノイド部１１側に押圧され、ソレノイド部１１側の弁座３５ｂと弁部材３３との間に間隙が形成され、他側の弁座３５ａが弁部材３７により塞がれ、ソレノイド部１１のコイル１９が励磁されたと同じ状態になり、図示しないエアーシリンダー内の空気が、排気口３５ｄから排出される。
【００３２】
従って、ドライバーの先端等により第１の手動操作部材４３をソレノイド部１１側に押圧している間、手動操作により電磁弁の弁機構の切り換えが可能になる。
そして、エアーシリンダーのメンテナンス時等に、弁機構を長い時間にわたり連続して切り換え状態に置くことが要求される場合には、第１の手動操作部材４３による弁機構のロック、または、第２の手動操作部材４７による弁機構のロックが行われる。
【００３３】
第１の手動操作部材４３による弁機構のロックは、第２の手動操作部材４７をカバー部材４５に被嵌しない状態で、ドライバーの先端等を、第１の手動操作部材４３の係止溝４３ｃに係止し、第１の手動操作部材４３をソレノイド部１１側に押圧した状態で第１の手動操作部材４３を回動することにより行われる。
すなわち、ドライバーの先端等により第１の手動操作部材４３を押圧しない状態では、図１０に実線で示したように、カバー部材４５の内側フランジ部４５ｃに形成される凹部４５ｉには、第１の手動操作部材４３の外周に形成される突部４３ｄが係合されている。
【００３４】
この状態からドライバーの先端等により第１の手動操作部材４３を押圧すると、第１の手動操作部材４３の突部４３ｄが、カバー部材４５の凹部４５ｉから外れる。
そして、この状態から第１の手動操作部材４３を図１０の矢符Ａ方向に回動すると、第１の手動操作部材４３の突部４３ｄが、カバー部材４５の突部４５ｊに当接され、図に二点鎖線で示す状態になる。
【００３５】
この状態が、弁機構のロック状態であり、ドライバーの先端等による第１の手動操作部材４３のソレノイド部１１側への押圧を解除した場合にも、この状態が維持される。
一方、この状態の解除は、ドライバーの先端等を、第１の手動操作部材４３の係止溝４３ｃに係止し、第１の手動操作部材４３を図１０の矢符Ａと反対方向に回動し、カバー部材４５の内側フランジ部４５ｃに形成される凹部４５ｉに第１の手動操作部材４３の突部４３ｄを係合することにより行われる。
【００３６】
第２の手動操作部材４７による弁機構のロックは、第２の手動操作部材４７の筒状部４７ａをカバー部材４５に被嵌し、第２の手動操作部材４７をソレノイド部１１側に押圧した状態で第２の手動操作部材４７を回動することにより行われる。
【００３７】
すなわち、図１４および図１５に示すように、第２の手動操作部材４７の筒状部４７ａをカバー部材４５に被嵌すると、第２の手動操作部材４７の底部４７ｂの内側に形成される突出部４７ｅの先端の突条部４７ｆが、第１の手動操作部材４３の上端に形成される係止溝４３ｃに係合される。
そして、同時に、第２の手動操作部材４７の筒状部４７ａの内周に形成される突起部４７ｄが、カバー部材４５の外周に形成される案内溝４５ｄの上端に係合される。
【００３８】
この状態から第２の手動操作部材４７の把持部４７ｃを押圧すると、第２の手動操作部材４７の突起部４７ｄが、案内溝４５ｄの軸長方向溝４５ｅに沿って移動し、案内溝４５ｄの周方向溝４５ｇの入口に位置される。
この状態では、第１の手動操作部材４３の係止溝４３ｃが、第２の手動操作部材４７の突条部４７ｆにより押圧され、上述したように第１の手動操作部材４３の突部４３ｄが、カバー部材４５の凹部４５ｉから外れる。
【００３９】
そして、この状態から第２の手動操作部材４７の把持部４７ｃを、図１５の矢符Ｂ方向に多少力を作用させた状態で押圧しながら回動すると、第２の手動操作部材４７の突起部４７ｄが、案内溝４５ｄの周方向溝４５ｇ，軸長方向溝４５ｆおよび周方向溝４５ｈに沿って移動し、案内溝４５ｄの周方向溝４５ｈの奥側に位置される。
【００４０】
この状態では、第１の手動操作部材４３が、第２の手動操作部材４７の突条部４７ｆにより回動され、上述したように第１の手動操作部材４３の突部４３ｄが、カバー部材４５の突部４５ｊに当接される。
この状態が、弁機構のロック状態であり、第２の手動操作部材４７のソレノイド部１１側への押圧を解除した場合にも、この状態が維持される。
【００４１】
一方、この状態の解除は、第２の手動操作部材４７を図１５の矢符Ｂと反対方向に回動し、カバー部材４５から第２の手動操作部材４７を取り外すことにより行われる。
以上のように構成された電磁弁では、ソレノイド部１１，弁部１３，第１の手動操作部材４３およびカバー部材４５を同一軸線上に配置し、第１の手動操作部材４３の回動によるカバー部材４５に対する位置変化により第１の手動操作部材４３を押圧による移動位置に保持するようにしたので、手動操作機構およびロック機構を非常に簡易な構造にすることができる。
【００４２】
この結果、小型の電磁弁に、手動操作機構およびロック機構を容易に組み込むことが可能になる。
また、上述した電磁弁では、第１のロック機構を、カバー部材４５に形成される内側フランジ部４５ｃと、第１の手動操作部材４３の外周に形成される突出部４３ｄと、内側フランジ部４５ｃに形成され突出部４３ｄが収容される凹部４５ｉとから構成したので、第１のロック機構を非常に簡易な構造にすることができる。
【００４３】
さらに、上述した電磁弁では、カバー部材４５の外側に、第１の手動操作部材４３を押圧による移動位置に保持する第２の手動操作部材４７を配置したので、この第２の手動操作部材４７により、手動操作およびロック操作を容易に行うことができる。
また、第１の手動操作部材４３と第２の手動操作部材４７による操作を選択することが可能になるため、使い勝手を向上することができる。
【００４４】
さらに、上述した電磁弁では、第２のロック機構を、カバー部材４５を覆って配置される第２の手動操作部材４７と、カバー部材４５に形成される案内溝４５ｄと、第２の手動操作部材４７に形成され案内溝４５ｄに嵌合される突起部４７ｄと、第２の手動操作部材４７に形成され第１の手動操作部材４３に係合する突条部４７ｆとから構成したので、第２のロック機構を非常に簡易な構造にすることができる。
【００４５】
また、上述した電磁弁では、第２の手動操作部材４７を、カバー部材４５に対して着脱自在にしたので、通常時に第２の手動操作部材４７をカバー部材４５から取り外しておくことにより、第２の手動操作部材４７が邪魔になることがなくなる。
なお、以上述べた実施形態では、カバー部材４５の案内溝４５ｄをクランク条に形成することにより、戻り方向への回動を防止した例について説明したが、本発明はかかる実施形態に限定されるものではなく、例えば、図１６の（ａ）に示すように、単なるＬ字状に形成しても良い。
【００４６】
また、例えば、図１６の（ｂ）に示すように、周方向溝４５ｈの端部に、カバー部材４５の上端に開口する軸長方向溝４５ｋを形成しても良く、この場合には、第２の手動操作部材４７をロック位置に回動したままの状態で、カバー部材４５を第２の手動操作部材４７から取り外すことが可能になる。
さらに、以上述べた実施形態では、３ポート弁に本発明を適用した例について説明したが、本発明はかかる実施形態に限定されるものではなく、例えば、２ポート弁，５ポート弁等にも適用することができる。
【００４７】
【発明の効果】
以上述べたように、請求項１の電磁弁では、ソレノイド部，弁部，第１の手動操作部材およびカバー部材を同一軸線上に配置し、第１の手動操作部材の回動によるカバー部材に対する位置変化により第１の手動操作部材を押圧による移動位置に保持するようにしたので、手動操作機構およびロック機構を非常に簡易な構造にすることができる。
【００４８】
この結果、小型の電磁弁に、手動操作機構およびロック機構を容易に組み込むことが可能になる。
さらに、カバー部材の外側に、第１の手動操作部材を押圧による移動位置に保持する第２の保持機構を配置したので、この第２の保持機構により、手動操作およびロック操作を容易に行うことができる。
また、第１の保持機構と第２の保持機構による操作を選択することが可能になるため、使い勝手を向上することができる。
請求項２の電磁弁では、第１の保持機構を、カバー部材に形成される内側フランジ部と、第１の手動操作部材の外周に形成される突出部と、内側フランジ部に形成され突出部が収容される凹部とから構成したので、第１の保持機構を非常に簡易な構造にすることができる。
【００５０】
請求項３の電磁弁では、第２の保持機構を、カバー部材を覆って配置される第２の手動操作部材と、カバー部材に形成される案内溝と、第２の手動操作部材に形成され案内溝に嵌合される突起部と、第２の手動操作部材に形成され第１の手動操作部材に係合する回動手段とから構成したので、第２の保持機構を非常に簡易な構造にすることができる。
請求項４の電磁弁では、第２の手動操作部材を、カバー部材に対して着脱自在にしたので、通常時に第２の手動操作部材をカバー部材から取り外しておくことにより、第２の手動操作部材が邪魔になることがなくなる。
【図面の簡単な説明】
【図１】本発明の電磁弁の一実施形態を示す断面図である。
【図２】図１のプッシュ部材およびこの近傍の詳細を示す断面図である。
【図３】図１のプッシュ部材の詳細を示す斜視図である。
【図４】図１のカバー部材の詳細を示す斜視図である。
【図５】図１のカバー部材の詳細を示す断面図である。
【図６】図１のカバー部材の詳細を示す底面図である。
【図７】図１の第１の手動操作部材の詳細を示す断面図である。
【図８】図１の第１の手動操作部材の詳細を示す側面図である。
【図９】図１の第１の手動操作部材の詳細を示す上面図である。
【図１０】図１のカバー部材の凹部と第１の手動操作部材の突部との係止状態を展開して示す説明図である。
【図１１】図１の第２の手動操作部材の詳細を示す断面図である。
【図１２】図１の第２の手動操作部材の詳細を示す断面図である。
【図１３】図１の第２の手動操作部材の詳細を示す上面図である。
【図１４】図１において第２の手動操作部材をロックした状態を示す断面図である。
【図１５】図１４の上面図である。
【図１６】図１のカバー部材に形成される案内溝の他の例を示す説明図である。
【符号の説明】
１１  ソレノイド部
１３  弁部
１５  手動操作部
２５  可動鉄心
４３  第１の手動操作部材
４３ｄ  突部
４５  カバー部材
４５ｃ  内側フランジ部
４５ｄ  案内溝
４５ｉ  凹部
４７  第２の手動操作部材
４７ｄ  突起部
４７ｆ  突条部
【図１】
0003647943.tif 000002
【図２】
0003647943.tif 000003
【図３】
0003647943.tif 000004
【図４】
0003647943.tif 000005
【図５】
0003647943.tif 000006
【図６】
0003647943.tif 000007
【図７】
0003647943.tif 000008
【図８】
0003647943.tif 000009
【図９】
0003647943.tif 000010
【図１０】
0003647943.tif 000011
【図１１】
0003647943.tif 000012
【図１２】
0003647943.tif 000013
【図１３】
0003647943.tif 000014
【図１４】
0003647943.tif 000015
【図１５】
0003647943.tif 000016
【図１６】
0003647943.tif 000017